(57)【要約】      （修正有）【課題】負荷装置の温度上昇を抑制する。【解決手段】負荷装置は、複数の負荷抵抗ユニット５０から構成され、無停電電源装置１０に接続される。負荷抵抗ユニット５０には、ユニットコネクタ及び配線ボックスを介して接続ケーブルが接続され、無停電電源装置１０から電力が供給される。また、負荷抵抗ユニット５０は、複数のペルチェ素子５２と、一方側熱交換器と他方側熱交換器とを有し、複数のペルチェ素子５２は、互いに直列に接続される。ペルチェ素子５２は熱移動素子として働き、第一電流が流れた場合、放熱（または吸熱）し、第一電流と反対向きの第二電流が流れた場合、吸熱（または放熱）する二つの放吸熱部を備える。【選択図】図４
2018054499.tif 000002
【特許請求の範囲】
【請求項１】
負荷付与対象物に接続されるとともに、第一電流と、前記第一電流と反対向きの第二電流とが交互に流される熱移動素子を備える、
負荷装置。
【請求項２】
前記熱移動素子は、
前記熱移動素子の一方側に設けられ、前記熱移動素子に前記第一電流が流れた場合に放熱し、前記熱移動素子に前記第二電流が流れた場合に吸熱する一方側放吸熱部と、
前記熱移動素子の他方側に設けられ、前記熱移動素子に前記第二電流が流れた場合に放熱し、前記熱移動素子に前記第一電流が流れた場合に吸熱する他方側放吸熱部と、
を有する、
請求項１に記載の負荷装置。
【請求項３】
前記一方側放吸熱部に設けられ、該一方側放吸熱部を冷却する一方側冷却器と、
前記他方側放吸熱部に設けられ、該他方側放吸熱部を冷却する他方側冷却器と、
を備える請求項２に記載の負荷装置。
【請求項４】
前記熱移動素子は、前記一方側冷却器と前記他方側冷却器との間に挟み込まれる、
請求項３に記載の負荷装置。
【請求項５】
前記一方側放吸熱部及び前記他方側放吸熱部の少なくとも一方を冷却する冷却器を備える、
請求項２に記載の負荷装置。
【請求項６】
前記負荷付与対象物は、前記熱移動素子に前記第一電流及び前記第二電流を供給する供給源となる交流電源装置を含む、
請求項１〜請求項５の何れか１項に記載の負荷装置。
【請求項７】
負荷付与対象物から熱移動素子に電力を供給し、該熱移動素子に第一電流と、前記第一電流と反対向きの第二電流とを交互に流す、
負荷付与方法。
【請求項８】
前記熱移動素子は、
前記熱移動素子の一方側に設けられ、前記熱移動素子に前記第一電流が流れた場合に放熱し、前記熱移動素子に前記第二電流が流れた場合に吸熱する一方側放吸熱部と、
前記熱移動素子の他方側に設けられ、前記熱移動素子に前記第二電流が流れた場合に放熱し、前記熱移動素子に前記第一電流が流れた場合に吸熱する他方側放吸熱部と、
を有し、
前記一方側放吸熱部及び他方側放吸熱部の少なくとも一方を冷却しながら、前記熱移動素子に第一電流と前記第二電流とを交互に流す、
請求項７に記載の負荷付与方法。
【発明の詳細な説明】
【技術分野】
【０００１】
本願が開示する技術は、負荷装置、及び負荷付与方法に関する。
【背景技術】
【０００２】
無停電電源装置等の電源装置の負荷試験（作動試験）を行う負荷装置がある（例えば、特許文献１参照）。
【先行技術文献】
【特許文献】
【０００３】
【特許文献１】特開２０１２−０５４３８５号公報
【発明の概要】
【発明が解決しようとする課題】
【０００４】
ところで、負荷装置としては、例えば、灯光器（白熱灯）がある。
【０００５】
しかしながら、灯光器は、発熱量が大きく、温度が上昇し易い。そのため、例えば、投光器が設置された部屋の空調負荷等が増加する可能性がある。
【０００６】
本願が開示する技術は、一つの側面として、負荷装置の温度上昇を抑制することを目的とする。
【課題を解決するための手段】
【０００７】
本願が開示する技術では、負荷装置は、負荷付与対象物に接続されるとともに、第一電流と、第一電流と反対向きの第二電流とが交互に流される熱移動素子を備える。
【発明の効果】
【０００８】
本願が開示する技術によれば、一つの側面として、負荷装置の温度上昇を抑制することができる。
【図面の簡単な説明】
【０００９】
【図１】図１は、一実施形態に係る負荷装置を示す斜視図である。
【図２】図２は、図１に示される負荷装置の筐体本体から蓋体が取り外された状態を示す斜視図である。
【図３】図３は、図６の３−３線断面図である。
【図４】図４は、図３に示される負荷抵抗ユニットの回路モデルを示すモデル図である。
【図５Ａ】図５Ａは、図３に示されるペルチェ素子を示す斜視図である。
【図５Ｂ】図５Ｂは、図３に示されるペルチェ素子を示す斜視図である。
【図６】図６は、図２の６−６線断面図である。
【図７】図７は、図３に示されるペルチェ素子に供給される交流電流の波形を示すグラフである。
【図８】図８は、比較例に係る負荷装置の回路モデルを示すモデル図である。
【発明を実施するための形態】
【００１０】
以下、本願が開示する技術の一実施形態について説明する。
【００１１】
図１には、本実施形態に係る負荷装置２０が示される。負荷装置２０は、例えば、無停電電源装置１０（図４参照）の負荷試験（エージング試験）を行う負荷試験装置とされる。なお、無停電電源装置１０は、負荷付与対象物の一例である。
【００１２】
（無停電電源装置）
無停電電源装置１０は、電力を蓄電する蓄電池（二次電池）を有し、蓄電池に蓄電された電力を交流として出力する交流電源装置とされる。この無停電電源装置１０は、サーバ等の電子機器に電気的に接続され、例えば商用電源の停電時に、蓄電池に蓄電された電力を電子機器に供給することで、当該電子機器を継続的に稼働させる予備電源装置とされる。
【００１３】
無停電電源装置１０の負荷試験では、無停電電源装置１０に負荷装置２０が電気的に接続され、無停電電源装置から負荷装置２０に電力が供給される。この際、負荷装置２０は、無停電電源装置１０から供給される電力に抵抗する抵抗器（負荷抵抗器）として機能する。
【００１４】
（負荷装置）
図２に示されるように、負荷装置２０は、筐体２２と、配線ボックス３８と、ユニットコネクタ４０と、複数の負荷抵抗ユニット５０と、複数の吸気ファン４４と、複数の排気ファン４８とを備える。
【００１５】
（筐体）
図１に示されるように、筐体２２は、金属製とされる。この筐体２２は、例えば、サーバ等を収容する図示しないラックに搭載可能な幅や長さに形成される。また、筐体２２の高さは、後述する吸気ファン４４、排気ファン４８、一方側熱交換器６０、他方側熱交換器７０のサイズを調整することで、例えば１９インチラックで３Ｕ以下のコンパクトなサイズにすることが可能である。この筐体２２は、筐体本体２４と、蓋体２８とを有する。
【００１６】
なお、筐体２２は、樹脂製等であっても良い。また、各図に示される矢印Ｗは、筐体２２（負荷装置２０）の幅方向を示す。また、矢印Ｄは、筐体２２（負荷装置２０）の奥行方向を示す。さらに、矢印Ｈは、筐体２２（負荷装置２０）の高さ方向を示す。
【００１７】
筐体本体２４は、上面に開口２６（図２参照）を有する箱状に形成される。蓋体２８は、板状に形成される。この蓋体２８は、筐体本体２４の開口２６を開閉可能に筐体本体２４に取り付けられる。
【００１８】
筐体本体２４の奥行方向（矢印Ｄ方向）の一方側の側面２４Ｓ１には、接続ケーブル３０及び拡張ケーブル３４が設けられる。接続ケーブル３０の一端部には、プラグ３２が設けられる。プラグ３２は、無停電電源装置１０に設けられた図示しないソケットに挿し込まれる。これにより、負荷装置２０に無停電電源装置１０が電気的に接続される。また、接続ケーブル３０の他端部には、後述する配線ボックス３８及びユニットコネクタ４０を介して、複数の負荷抵抗ユニット５０が接続される。
【００１９】
拡張ケーブル３４の端部には、ソケット３６が設けられる。このソケット３６には、例えば、図示しない他の負荷装置の拡張ケーブルのプラグが挿し込まれる。これにより、複数の負荷装置２０が電気的に接続される。この結果、負荷装置２０の接続台数に応じて、無停電電源装置１０に対する抵抗（負荷）が増加される。なお、拡張ケーブル３４は、省略可能である。
【００２０】
図２に示されるように、配線ボックス３８及びユニットコネクタ４０は、配線のし易さや熱効率を考慮して筐体２２の中央部に収容される。この配線ボックス３８には、前述した接続ケーブル３０が接続される。また、配線ボックス３８には、ユニットコネクタ４０が接続される。
【００２１】
（負荷抵抗ユニット）
複数の負荷抵抗ユニット５０は、配線ボックス３８及びユニットコネクタ４０の両側にそれぞれ収容される。各負荷抵抗ユニット５０には、ユニットコネクタ４０及び配線ボックス３８を介して接続ケーブル３０が接続される。これにより、接続ケーブル３０に接続された無停電電源装置１０から、各負荷抵抗ユニット５０に電力が供給される。
【００２２】
図３に示されるように、負荷抵抗ユニット５０は、複数のペルチェ素子５２と、一方側熱交換器６０と、他方側熱交換器７０とを有する。ペルチェ素子５２は、厚み方向（矢印ｔ方向）から見て、矩形の板状に形成される。また、ペルチェ素子５２は、厚み方向（矢印ｔ方向）を筐体２２の高さ方向（矢印Ｈ方向）として配置される。これらのペルチェ素子５２は、筐体２２の幅方向及び奥行方向に並べられる。なお、ペルチェ素子は、熱移動素子の一例である。
【００２３】
図４には、負荷抵抗ユニット５０の回路モデルの一例が示される。この図４に示されるように、複数（図４では、４つ）のペルチェ素子５２は、互いに直列に接続される。そして、負荷装置２０に無停電電源装置１０が接続されると、無停電電源装置１０から各ペルチェ素子５２に交流電圧が印加される。これにより、無停電電源装置１０から各ペルチェ素子５２に交流電流が供給される。
【００２４】
なお、複数のペルチェ素子５２は、直列に限らず、並列に接続されても良い。また、負荷抵抗ユニット５０には、少なくとも１つのペルチェ素子５２を設けることができる。
【００２５】
図５Ａ及び図５Ｂに示されるように、ペルチェ素子５２は、一方側放吸熱面５２Ａ及び他方側放吸熱面５２Ｂを有する。一方側放吸熱面５２Ａは、ペルチェ素子５２の厚み方向（矢印ｔ方向）の一方側の面とされる。また、他方側放吸熱面５２Ｂは、ペルチェ素子５２の厚み方向の他方側、すなわち一方側放吸熱面５２Ａと反対側の面とされる。
【００２６】
ペルチェ素子５２には、一対の配線５４が接続される。この一対の配線５４を介して無停電電源装置１０（図４参照）からペルチェ素子５２に交流電流が供給される。つまり、無停電電源装置１０は、ペルチェ素子５２に交流電流を供給する供給源となる。
【００２７】
ここで、図５Ａに示されるように、ペルチェ素子５２に矢印Ｆ１方向の電流（以下、「第一電流Ｆ１」という）が流れると、他方側放吸熱面５２Ｂから一方側放吸熱面５２Ａへ向けて熱が移動する。この結果、矢印Ｑ１で示されるように、一方側放吸熱面５２Ａが放熱し、矢印Ｑ２で示されるように、他方側放吸熱面５２Ｂが吸熱する。
【００２８】
これに対して図５Ｂに示されるように、ペルチェ素子５２に矢印Ｆ２方向の電流、すなわち第一電流Ｆ１と反対向きの電流（以下、「第二電流Ｆ２」という）が流れると、一方側放吸熱面５２Ａから他方側放吸熱面５２Ｂへ熱が移動する。この結果、矢印Ｑ２で示されるように、一方側放吸熱面５２Ａが吸熱し、矢印Ｑ１で示されるように、他方側放吸熱面５２Ｂが放熱する。
【００２９】
（一方側熱交換器）
図３に示されるように、ペルチェ素子５２の一方側放吸熱面５２Ａには、一方側熱交換器６０が設けられる。一方側熱交換器６０は、一方側放吸熱面５２Ａを冷却する空冷式のヒートシンクとされる。この一方側熱交換器６０は、ベース部６２と、複数の放熱フィン部６４とを有する。ベース部６２は、板状に形成される。このベース部６２は、一方側放吸熱面５２Ａと熱交換可能に面接触される。
【００３０】
なお、ベース部６２と一方側放吸熱面５２Ａとの間には、ベース部６２と一方側放吸熱面５２Ａとの熱交換効率を高める熱伝導シート又は熱伝導グリス等の熱伝導材が設けられても良い。
【００３１】
複数の放熱フィン部６４は、ベース部６２からペルチェ素子５２と反対側へ延出される。また、複数の放熱フィン部６４は、間隔を空けて所定方向（矢印Ｗ方向）に配置される。これらの放熱フィン部６４は、ベース部６２から伝達された一方側放吸熱面５２Ａの熱を放熱する。これにより、一方側放吸熱面５２Ａが冷却される。また、複数の放熱フィン部６４は、後述する吸気ファン４４及び排気ファン４８によって冷却される。なお、一方側熱交換器６０は、冷却器及び一方側冷却器の一例である。
【００３２】
（他方側熱交換器）
ペルチェ素子５２の他方側放吸熱面５２Ｂには、他方側熱交換器７０が設けられる。他方側熱交換器７０は、他方側放吸熱面５２Ｂを冷却する空冷式のヒートシンクとされる。この他方側熱交換器７０は、一方側熱交換器６０との間で、複数のペルチェ素子５２を挟み込んだ状態で保持する。
【００３３】
具体的には、他方側熱交換器７０は、ベース部７２と、複数の放熱フィン部７４とを有する。ベース部７２は、板状に形成される。このベース部７２は、他方側放吸熱面５２Ｂと熱交換可能に面接触される。
【００３４】
なお、ベース部７２と他方側放吸熱面５２Ｂとの間には、ベース部７２と他方側放吸熱面５２Ｂとの熱交換効率を高める熱伝導シート又は熱伝導グリス等の熱伝導材が設けられても良い。
【００３５】
複数の放熱フィン部７４は、ベース部７２からペルチェ素子５２と反対側へ延出される。また、複数の放熱フィン部７４は、一方側熱交換器６０の放熱フィン部６４と同じ方向（矢印Ｗ方向）に間隔を空けて配置される。これらの放熱フィン部７４は、ベース部７２から伝達された他方側放吸熱面５２Ｂの熱を放熱する。これにより、他方側放吸熱面５２Ｂが冷却される。また、複数の放熱フィン部６４は、後述する吸気ファン４４及び排気ファン４８によって冷却される。なお、他方側熱交換器７０は、冷却器及び他方側冷却器の一例である。
【００３６】
（負荷抵抗ユニットの支持構造）
負荷抵抗ユニット５０は、複数の支柱８０を介して筐体２２の底壁部２４Ｌに支持される。具体的には、筐体２２の底壁部２４Ｌの上には、絶縁板８２が設けられる。絶縁板８２は、例えば、電気絶縁性を有する樹脂等で形成される。
【００３７】
絶縁板８２の外周部には、複数の固定孔が形成される。各固定孔には、筐体２２の底壁部２４Ｌの下面からビス８４が捻じ込まれる。これらのビス８４によって、絶縁板８２が筐体２２の底壁部２４Ｌに固定される。なお、ビス８４は、固定部材の一例である。また、絶縁板８２は、絶縁体の一例である。
【００３８】
支柱８０の下端部８０Ｌの外周面には、雄ネジが形成される。この支柱８０の下端部８０Ｌは、絶縁板８２の外周部に形成された図示しない複数の取付孔に捻じ込まれる。これにより、絶縁板８２に、複数の支柱８０が取り付けられる。
【００３９】
支柱８０は、筒状（円筒状）に形成されており、絶縁板８２から立ち上げられる。また、支柱８０の上端部８０Ｕの内周面には、後述するネジ部材８６が捻じ込まれる雌ネジが形成される。これらの支柱８０の上端部８０Ｕの上に、一方側熱交換器６０のベース部６２の外周部が載置される。また、一方側熱交換器６０のベース部６２の上には、複数のペルチェ素子５２を介して他方側熱交換器７０のベース部７２が載置される。
【００４０】
他方側熱交換器７０のベース部７２の外周部には、図示しない複数の取付孔が形成される。各取付孔には、ネジ部材８６が挿入される。ネジ部材８６は、一方側熱交換器６０のベース部６２の外周部に形成された取付孔を介して、支柱８０の上端部８０Ｕに捻じ込まれる。
【００４１】
これにより、一方側熱交換器６０のベース部６２と他方側熱交換器７０のベース部７２との間で、複数のペルチェ素子５２が挟み込まれた状態で保持される。また、負荷抵抗ユニット５０が、複数の支柱８０を介して筐体２２の底壁部２４Ｌに支持される。
【００４２】
ここで、前述したように、複数の支柱８０と筐体２２の底壁部２４Ｌとの間には、絶縁板８２が介在される。また、ペルチェ素子５２、一方側熱交換器６０、及び他方側熱交換器７０は、筐体２２と非接触とされる。これにより、負荷抵抗ユニット５０が、筐体２２と絶縁された状態で支柱８０に支持される。なお、支柱８０は、支持部材の一例である。
【００４３】
（吸気ファン）
図６に示されるように、筐体２２の奥行方向（矢印Ｄ方向）の他方側の側面２４Ｓ２には、複数の吸気口４２が形成される。そして、筐体２２における側面２４Ｓ２側には、複数の吸気ファン４４が収容される。複数の吸気ファン４４は、筐体２２の幅方向（図２の矢印Ｗ方向）に配列される。これらの吸気ファン４４が作動すると、筐体２２の奥行方向に流れる冷却風Ｘが生成され、筐体２２の吸気口４２から筐体２２内に外気が供給される。この冷却風Ｘによって、一方側熱交換器６０及び他方側熱交換器７０の放熱フィン部６４，７４が冷却される。なお、吸気ファン４４は、冷却器の一例である。
【００４４】
（排気ファン）
筐体２２の奥行方向の一方側の側面２４Ｓ１、すなわち他方側の側面２４Ｓ２と反対側の側面２４Ｓ１には、排気口４６が形成される。そして、筐体２２における側面２４Ｓ１側には、複数の排気ファン４８が収容される。複数の排気ファン４８は、筐体２２の幅方向（図２の矢印Ｗ方向）に配列される。これらの排気ファン４８が作動すると、筐体２２内に空気が排気口４６から筐体２２の外部に排出され、筐体２２内の換気が促進される。この結果、一方側熱交換器６０及び他方側熱交換器７０の放熱フィン部６４，７４の冷却効率が高められる。なお、排気ファン４８は、冷却器の一例である。
【００４５】
次に、無停電電源装置１０の負荷試験方法（負荷付与方法）を説明しながら、本実施形態の作用について説明する。
【００４６】
先ず、操作者は、無停電電源装置１０の図示しないソケットに負荷装置２０のプラグ３２を挿し込み、無停電電源装置１０に負荷装置２０を電気的に接続する。また、操作者は、負荷装置２０の複数の吸気ファン４４及び排気ファン４８を作動させる。
【００４７】
次に、操作者は、無停電電源装置１０を作動させる。これにより、無停電電源装置１０から負荷装置２０の各負荷抵抗ユニット５０のペルチェ素子５２に交流電流が供給される。つまり、無停電電源装置１０は、ペルチェ素子５２に第一電流Ｆ１及び第二電流Ｆ２を供給する供給源となる。
【００４８】
この状態で、操作者は、無停電電源装置１０から出力される出力電圧を電圧計等によって計測する。そして、操作者は、無停電電源装置１０の出力電圧の計測結果から無停電電源装置１０の出力電圧が所定時間（例えば、８時間）以上安定するか否かを確認する。つまり、操作者は、無停電電源装置１０が所定時間以上安定可動するか否かを確認する。
【００４９】
ここで、図５Ａ及び図５Ｂに示されるように、ペルチェ素子５２は、一方側放吸熱面５２Ａ及び他方側放吸熱面５２Ｂを有する。一方側放吸熱面５２Ａは、ペルチェ素子５２に流れる電流の向きによって、放熱と吸熱とが切り替えられる。これと同様に、他方側放吸熱面５２Ｂは、ペルチェ素子５２に流れる電流の向きによって、放熱と吸熱とが切り替えられる。
【００５０】
より具体的には、図５Ａに示されるように、矢印Ｆ１方向の第一電流Ｆ１がペルチェ素子５２に流れた場合、矢印Ｑ１で示されるように一方側放吸熱面５２Ａが放熱し、矢印Ｑ２で示されるように他方側放吸熱面５２Ｂが吸熱する。これに対して図５Ｂに示されるように、矢印Ｆ２方向、すなわち第一電流Ｆ１と反対向きの第二電流Ｆ２がペルチェ素子５２に流れた場合、矢印Ｑ２で示されるように一方側放吸熱面５２Ａが吸熱し、矢印Ｑ１で示されるように他方側放吸熱面５２Ｂは放熱する。
【００５１】
また、前述したように、無停電電源装置１０（図４参照）からペルチェ素子５２には、交流電流が供給される。この交流電流では、例えば、図７に示されるように、一定の周期で電流が流れる向きが交互に変化する。すなわち、交流電流では、一定の周期で、電流の正負が交互に入れ替わる。そして、電流が正（＋）の場合には、ペルチェ素子５２に第一電流Ｆ１（図５Ａ参照）が流れ、電流が負（−）の場合には、ペルチェ素子５２に第二電流Ｆ２（図５Ｂ参照）が流れる。そのため、ペルチェ素子５２には、一定の周期で、互いに反対向きの第一電流Ｆ１と第二電流Ｆ２とが交互に流れる。
【００５２】
これにより、ペルチェ素子５２の一方側放吸熱面５２Ａでは、一定の周期で放熱と吸熱とが交互に切り替えられる。したがって、ペルチェ素子５２の一方側放吸熱面５２Ａが放熱のみの場合と比較して、本実施形態では、一方側放吸熱面５２Ａの温度上昇が抑制される。
【００５３】
これと同様に、ペルチェ素子５２の他方側放吸熱面５２Ｂでは、一定の周期で吸熱と放熱とが交互に切り替えられる。したがって、例えば、ペルチェ素子５２の他方側放吸熱面５２Ｂが放熱のみの場合と比較して、本実施形態では、他方側放吸熱面５２Ｂの温度上昇が抑制される。
【００５４】
このように本実施形態に係る負荷装置２０では、ペルチェ素子５２に、互いに反対向きの第一電流と第二電流とが交互に流れる。これにより、ペルチェ素子５２の一方側放吸熱面５２Ａ及び他方側放吸熱面５２Ｂの温度上昇が抑制される。したがって、例えば、負荷装置２０が設置される部屋の空調負荷等を軽減することができる。
【００５５】
また、本実施形態では、無停電電源装置１０から出力される交流電流を、変換器（インバータ）等によって直流電流に変換しない。したがって、負荷装置２０の部品点数が低減されるため、負荷装置２０の構造を単純化することができる。
【００５６】
ここで、前述したように、ペルチェ素子５２の一方側放吸熱面５２Ａ及び他方側放吸熱面５２Ｂは放熱と吸熱とを交互に繰り返す。この際、例えば一方側放吸熱面５２Ａ及び他方側放吸熱面５２Ｂに放熱時の熱が徐々に蓄熱されると、当該一方側放吸熱面５２Ａ及び他方側放吸熱面５２Ｂの温度が徐々に上昇する可能性がある。
【００５７】
特に、無停電電源装置１０の負荷試験は、長時間（例えば、８時間以上）に亘ってペルチェ素子５２に電流が流れる。そのため、一方側放吸熱面５２Ａ及び他方側放吸熱面５２Ｂの温度が上昇し易くなる。
【００５８】
この対策として本実施形態の一方側放吸熱面５２Ａには、一方側熱交換器６０が設けられる。これにより、一方側放吸熱面５２Ａから放熱された熱が、一方側熱交換器６０の複数の放熱フィン部６４から放熱される。この結果、一方側放吸熱面５２Ａが冷却される。
【００５９】
これと同様に、他方側放吸熱面５２Ｂには、他方側熱交換器７０が設けられる。これにより、他方側放吸熱面５２Ｂから放熱された熱が他方側熱交換器７０の複数の放熱フィン部７４から放熱される。この結果、他方側放吸熱面５２Ｂが冷却される。
【００６０】
さらに、負荷装置２０の筐体２２には、複数の吸気ファン４４が設けられる。この吸気ファン４４によって形成される冷却風Ｘによって、一方側熱交換器６０及び他方側熱交換器７０の複数の放熱フィン部６４，７４が冷却される。したがって、一方側熱交換器６０及び他方側熱交換器７０による一方側放吸熱面５２Ａ及び他方側放吸熱面５２Ｂの冷却効率が高められる。
【００６１】
また、負荷装置２０の筐体２２には、複数の排気ファン４８が設けられる。これらの排気ファン４８によって筐体２２内の換気が促進される。したがって、一方側熱交換器６０及び他方側熱交換器７０による一方側放吸熱面５２Ａ及び他方側放吸熱面５２Ｂの冷却効率がさらに高められる。
【００６２】
また、本実施形態では、ペルチェ素子５２の厚み方向の一方側に、一方側熱交換器６０が配置される。また、ペルチェ素子５２の厚み方向の他方側に、他方側熱交換器７０が配置される。そして、一方側熱交換器６０と他方側熱交換器７０の間にペルチェ素子５２が挟み込まれた状態で保持される。これにより、負荷抵抗ユニット５０の小型化を図ることができる。この結果、負荷装置２０の小型化を図ることができる。
【００６３】
次に、負荷抵抗ユニット５０から漏れる漏れ電流について補足する。図８には、比較例に係る負荷装置１００の回路モデルが示される。この負荷装置１００の筐体２２の底壁部２４Ｌには、絶縁板が設けられていない。
【００６４】
図８に示されるように、ペルチェ素子５２は、抵抗（負荷成分）Ｒだけでなく、ペルチェ素子５２の物理的な構造に起因する寄生（寄生容量）Ｃを有する。この寄生Ｃによって、ペルチェ素子５２に漏れ電流が発生する可能性がある。この漏れ電流は、例えば、矢印ａで示されるように、一方側熱交換器６０、他方側熱交換器７０、及び支柱８０を介して、筐体２２の底壁部２４Ｌに接地（フレームグラウンド）される。つまり、比較例に係る負荷装置１００では、ペルチェ素子５２の漏れ電流が、筐体２２の底壁部２４Ｌに流れる可能性がある。
【００６５】
これに対して本実施形態の負荷抵抗ユニット５０は、図３に示されるように、筐体２２と非接触状態で、支柱８０を介して筐体２２の底壁部２４Ｌに支持される。また、筐体２２の底壁部２４Ｌには、絶縁板８２が設けられる。絶縁板８２は、筐体２２の底壁部２４Ｌと支柱８０との間に介在する。この絶縁板８２によって、ペルチェ素子５２の漏れ電流が、支柱８０を介して筐体２２の底壁部２４Ｌに流れることが抑制される。
【００６６】
また、前述したように、負荷抵抗ユニット５０は、筐体２２と非接触状態で、支柱８０を介して筐体２２の底壁部２４Ｌに支持される。つまり、本実施形態では、ペルチェ素子５２の漏れ電流の経路が支柱８０に限定される。したがって、絶縁板８２等の絶縁体の設置数が低減される。
【００６７】
また、ペルチェ素子５２は、半導体であり、有寿命部品ではないため、定期メンテナンスの必要性がなくなる。したがって、ペルチェ素子５２の交換作業等がなくなるため、負荷装置２０のメンテナンス性が向上する。
【００６８】
次に、上記実施形態の変形例について説明する。
【００６９】
負荷装置２０には、例えば、直流電流を交流電流に変換する変換器（インバータ）が設けられても良い。この場合、例えば、直流電源装置の負荷試験に負荷装置２０を用いることができる。すなわち、直流電源装置の出力される直流電流を、変換器によって交流電流に変換してペルチェ素子５２に流す。これにより、上記実施形態と同様に、ペルチェ素子５２の一方側放吸熱面５２Ａ及び他方側放吸熱面５２Ｂの温度上昇を抑制することができる。
【００７０】
また、ペルチェ素子５２に流す電流は、一定の周期で、大きさが変化する正弦波波形の交流電流に限らない。ペルチェ素子５２には、例えば大きさが一定で、かつ、互いに反対向きの第一電流と第二電流とを交互に流すことができる。
【００７１】
また、第一電流と第二電流とを入れ替えるタイミングは、周期的に限らない。例えば、ペルチェ素子５２の一方側放吸熱面５２Ａ及び他方側放吸熱面５２Ｂの温度を温度センサ等によって検出する。そして、ペルチェ素子５２の一方側放吸熱面５２Ａの温度が所定温度以上になった場合に、ペルチェ素子５２を流す電流を第一電流から第二電流に切り替える。また、ペルチェ素子５２の他方側放吸熱面５２Ｂの温度が所定値以上になった場合に、ペルチェ素子５２を流す電流を第二電流から第一電流に切り替える。これにより、一方側放吸熱面５２Ａ及び他方側放吸熱面５２Ｂの温度上昇をより効率的に抑制することができる。
【００７２】
また、上記実施形態では、一方側熱交換器６０及び他方側熱交換器７０が、空冷式のヒートシンクを含んで構成される。しかし、一方側熱交換器及び他方側熱交換器の少なくとも一方は、例えば、液冷式のヒートシンクを含んで構成されても良い。
【００７３】
また、一方側放吸熱面５２Ａ及び他方側放吸熱面５２Ｂは、一方側熱交換器６０及び他方側熱交換器７０ではなく、冷却ファン等の冷却器によって冷却されても良い。なお、冷却ファンの場合は、１つの冷却ファンによって、一方側放吸熱面５２Ａ及び他方側放吸熱面５２Ｂの両方を冷却する冷却風を生成することができる。換言すると、上記実施形態に係る負荷付与方法では、一方側放吸熱面５２Ａ及び他方側放吸熱面５２Ｂの少なくとも一方を冷却しながら、ペルチェ素子５２に、互いに反対向きの第一電流Ｆ１と第二電流Ｆ２とを交互に流すことができる。
【００７４】
さらに、例えば、一方側放吸熱面５２Ａ及び他方側放吸熱面５２Ｂの温度上昇が問題にならない場合は、一方側熱交換器６０、他方側熱交換器７０、吸気ファン４４、及び排気ファン４８の少なくとも１つを省略することができる。
【００７５】
また、一方側放吸熱部及び他方側放吸熱部の形状は、一方側放吸熱面５２Ａ又は他方側放吸熱面５２Ｂのような平面に限らず、他の形状であっても良い。
【００７６】
また、ペルチェ素子５２は、基板に実装された状態で、一方側熱交換器６０と他方側熱交換器７０との間に配置されても良い。
【００７７】
また、負荷装置２０には、無停電電源装置１０等の電源装置に限らず、例えば、ブレーカ又はケーブル等の負荷付与対象物の負荷試験に用いることができる。
【００７８】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【００７９】
なお、以上の実施形態に関し、さらに以下の付記を開示する。
【００８０】
（付記１）
負荷付与対象物に接続されるとともに、第一電流と、前記第一電流と反対向きの第二電流とが交互に流される熱移動素子を備える、
負荷装置。
（付記２）
前記熱移動素子は、
前記熱移動素子の一方側に設けられ、前記熱移動素子に前記第一電流が流れた場合に放熱し、前記熱移動素子に前記第二電流が流れた場合に吸熱する一方側放吸熱部と、
前記熱移動素子の他方側に設けられ、前記熱移動素子に前記第二電流が流れた場合に放熱し、前記熱移動素子に前記第一電流が流れた場合に吸熱する他方側放吸熱部と、
を有する、
付記１に記載の負荷装置。
（付記３）
前記一方側放吸熱部に設けられ、該一方側放吸熱部を冷却する一方側冷却器と、
前記他方側放吸熱部に設けられ、該他方側放吸熱部を冷却する他方側冷却器と、
を備える付記２に記載の負荷装置。
（付記４）
前記熱移動素子は、前記一方側冷却器と前記他方側冷却器との間に配置される、
付記３に記載の負荷装置。
（付記５）
前記熱移動素子は、前記一方側冷却器と前記他方側冷却器との間に挟み込まれる、
付記４に記載の負荷装置。
（付記６）
前記一方側冷却器は、前記一方側放吸熱部と熱交換する一方側熱交換器を含み、
前記他方側冷却器は、前記他方側放吸熱部と熱交換する他方側熱交換器を含む、
付記３〜付記５の何れか１つに記載の負荷装置。
（付記７）
前記一方側熱交換器及び他方側熱交換器の少なくとも一方を冷却する冷却風を生成する冷却ファンを備える、
付記６に記載の負荷装置。
（付記８）
前記一方側放吸熱部及び前記他方側放吸熱部の少なくとも一方を冷却する冷却器を備える、
付記２に記載の負荷装置。
（付記９）
前記冷却器は、前記一方側放吸熱部及び前記他方側放吸熱部の少なくとも一方を冷却する冷却風を生成する冷却ファンを含む、
付記８に記載の負荷装置。
（付記１０）
前記熱移動素子を収容する筐体と、
前記熱移動素子と前記筐体とを絶縁させる絶縁体と、
を備える付記３〜付記７の何れか１つに記載の負荷装置。
（付記１１）
前記筐体に設けられ、前記熱移動素子を支持する支持部材を備え、
前記絶縁体は、前記筐体と前記支持部材との間に介在される、
付記１０に記載の負荷装置。
（付記１２）
前記支持部材は、前記熱移動素子、前記一方側冷却器、及び前記他方側冷却器を支持する、
付記１１に記載の負荷装置。
（付記１３）
前記熱移動素子、前記一方側冷却器、及び前記他方側冷却器は、前記筐体と非接触状態で前記支持部材に支持される、
付記１２の記載の負荷装置。
（付記１４）
前記一方側放吸熱部は、前記熱移動素子の一方側の面とされ、
前記他方側放吸熱部は、前記熱移動素子の他方側の面とされる、
付記２〜付記１３の何れか１つに記載の負荷装置。
（付記１５）
前記負荷付与対象物は、前記熱移動素子に前記第一電流及び前記第二電流を供給する供給源となる交流電源装置を含む、
付記１〜付記１４の何れか１つに記載の負荷装置。
（付記１６）
負荷付与対象物から熱移動素子に電力を供給し、該熱移動素子に第一電流と、前記第一電流と反対向きの第二電流とを交互に流す、
負荷付与方法。
（付記１７）
前記熱移動素子は、
前記熱移動素子の一方側に設けられ、前記熱移動素子に前記第一電流が流れた場合に放熱し、前記熱移動素子に前記第二電流が流れた場合に吸熱する一方側放吸熱部と、
前記熱移動素子の他方側に設けられ、前記熱移動素子に前記第二電流が流れた場合に放熱し、前記熱移動素子に前記第一電流が流れた場合に吸熱する他方側放吸熱部と、
を有し、
前記一方側放吸熱部及び他方側放吸熱部の少なくとも一方を冷却しながら、前記熱移動素子に第一電流と前記第二電流とを交互に流す、
付記１６に記載の負荷付与方法。
（付記１８）
前記一方側放吸熱部を一方側冷却器によって冷却するとともに、前記他方側放吸熱部を他方側冷却器によって冷却しながら、前記熱移動素子に第一電流と前記第二電流とを交互に流す、
付記１７に記載の負荷付与方法。
（付記１９）
前記一方側冷却器は、前記一方側放吸熱部と熱交換する一方側熱交換器を含み、
前記他方側冷却器は、前記他方側放吸熱部と熱交換する他方側熱交換器を含み、
前記一方側熱交換器及び前記他方側熱交換器を冷却ファンで冷却しながら、前記熱移動素子に第一電流と前記第二電流とを交互に流す、
付記１８に記載の負荷付与方法。
（付記２０）
前記負荷付与対象物は、交流電源装置を含み、
前記交流電源装置から前記熱移動素子に前記第一電流及び前記第二電流を流す、
付記１６〜付記１９の何れか１つに記載の負荷付与方法。
【符号の説明】
【００８１】
１０    無停電電源装置（負荷付与対象物及び交流電源装置の一例）
２０    負荷装置
２２    筐体
４４    吸気ファン（冷却器及び冷却ファンの一例）
４８    排気ファン（冷却器及び冷却ファンの一例）
５２    ペルチェ素子（熱移動素子の一例）
５２Ａ  一方側放吸熱面（一方側放吸熱部の一例）
５２Ｂ  他方側放吸熱面（他方側放吸熱部の一例）
６０    一方側熱交換器（冷却器及び一方側冷却器の一例）
７０    他方側熱交換器（冷却器及び他方側冷却器の一例）
８０    支柱（支持部材の一例）
８２    絶縁板（絶縁体の一例）
Ｆ１    第一電流
Ｆ２    第二電流
Ｘ      冷却風
【図１】
2018054499.tif 000003
【図２】
2018054499.tif 000004
【図３】
2018054499.tif 000005
【図４】
2018054499.tif 000006
【図５Ａ】
2018054499.tif 000007
【図５Ｂ】
2018054499.tif 000008
【図６】
2018054499.tif 000009
【図７】
2018054499.tif 000010
【図８】
2018054499.tif 000011